(57)【特許請求の範囲】
【請求項１】
ロールペーパーを着脱可能な本体と、該本体の上面を覆う棚板部材を備えた紙巻器において、
前記本体と前記棚板部材間に補強部材を装着可能に構成され、
該補強部材の装着状態では、前記本体上面に立設されたリブが前記補強部材の孔または切欠を貫通して前記棚板部材に当接するように構成されている
ことを特徴とする紙巻器。
【請求項２】
前記本体の背面には、該本体を壁に固定するためのビスを通すビス孔が形成されてなり、前記補強部材には、前記ビス孔と整合するビス孔を有し前記本体背面と前記壁間に挟まれる縦片が備えられている
ことを特徴とする請求項１に記載の紙巻器。
【請求項３】
前記補強部材は、前記装着状態において、前記本体の背面と前記棚板部材の後端から垂下した背面片間に挟まれるように構成されている
ことを特徴とする請求項１または請求項２に記載の紙巻器。
【発明の詳細な説明】
【技術分野】
【０００１】
本発明は、紙巻器に関するものである。
【背景技術】
【０００２】
従来、特許文献１に開示されているように、上面に棚板が固定された構造の紙巻器が存在する。
【先行技術文献】
【特許文献】
【０００３】
【特許文献１】特開２０００−１３５１７６号公報
【発明の概要】
【発明が解決しようとする課題】
【０００４】
上記特許文献１に開示されているような紙巻器では補強機能を後付けすることはできないものであった。即ち、使用者の都合により、より強度の大なる紙巻器を欲した場合には、そのような強度を有する別のデザインの紙巻器を新規に購入して取り換える必要があった。
【課題を解決するための手段】
【０００５】
本発明は、新規に買い換えたり交換することなく、補強部材のみを購入することで、手をついて身体を支えることが可能な強度にすることができる紙巻器の提供を目的とし、この目的の少なくとも一部を達成するために以下の手段を採った。
本発明は、ロールペーパーを着脱可能な本体と、該本体の上面を覆う棚板部材を備えた紙巻器において、前記本体と前記棚板部材間に補強部材を装着可能に構成され、該補強部材の装着状態では、前記本体上面に立設されたリブが前記補強部材の孔または切欠を貫通して前記棚板部材に当接するように構成されていることを要旨とする。
【発明の効果】
【０００６】
本発明の紙巻器では、強度の大なる紙巻器にする場合には、本体と棚板部材間に別体の補強部材を装着でき、デザインを変更することなく補強部材の追加のみで強度の大なる紙巻器にすることができる。また、補強部材の孔または切欠を貫通して本体上面のリブが棚板部材に当接する構造であるため、棚板部材が凹んだりすることもなく、棚板部材上に手をついて身体を支えることが可能なものとなる。
【０００７】
また、本発明の紙巻器において、前記本体の背面には、該本体を壁に固定するためのビスを通すビス孔が形成されてなり、前記補強部材には、前記ビス孔と整合するビス孔を有し前記本体背面と前記壁間に挟まれる縦片が備えられているものとすることもできる。
こうすれば、本体の背面のビス孔と補強部材のビス孔とを整合させて、両ビス孔内にビスを通し、壁面にビスを締め付けると、補強部材は本体背面と壁間に挟まれ、補強部材により強度が確保されるものとなる。
【０００８】
また、本発明の紙巻器において、前記補強部材は、前記装着状態において、前記本体の背面と前記棚板部材の後端から垂下した背面片間に挟まれるように構成されているものとすることもできる。
こうすれば、補強部材は本体背面と棚板部材の後端の背面片間に挟まれて組み付けられるため、補強部材がずれることもなく、良好な状態に補強部材を装着固定させることができるものとなる。
【図面の簡単な説明】
【０００９】
【図１】紙巻器の組立状態の斜視構成図である。
【図２】図１の紙巻器の構成部材の分解斜視図である。
【図３】図１の紙巻器の構成部材の裏側から見た分解斜視構成図である。
【図４】紙巻器を壁にビスで取り付けた状態の断面拡大構成図である。
【発明を実施するための形態】
【００１０】
次に、本発明を実施するための形態を実施例を用いて説明する。
図１は、２連紙巻器の斜視構成図であり、図２は、この２連紙巻器の構成部材の分解斜視図であり、図３は、裏側から見た構成部材の分解斜視図である。
【００１１】
紙巻器１は、樹脂製の本体２と、この本体２に上から蓋することのできる棚板部材３と、本体２と棚板部材３間に装着できる金属製の補強部材４で構成されている。
なお、補強部材４は、棚板部材３上に手をついて身体を支えることができるような強度を望む場合に装着するものである。
【００１２】
先ず、本体２について説明する。
本体２は、縦方向の仕切り板部２ａの左右側に間隔をおいて平行に側板部２ｂ，２ｃが配設され、この仕切り板部２ａ，側板部２ｂ，２ｃの上面には一体状に上面２ｄが形成され、上面２ｄの後端から垂下状に背面２ｅが一体形成されて、前面側および下面側が開放されて構成されている。
なお、本体２の上面２ｄの左右端側には、それぞれ立上側片２３ａ，２３ｂが立ち上げ形成されており、この立上側片２３ａ，２３ｂは、側板部２ｂ，２ｃよりも外側に配置されている。
【００１３】
本体２の上面２ｄには、前側から後方側に延びる縦方向の縦リブ２１が横方向に間隔をおいて一体状に複数立設されており、各縦リブ２１にはそれぞれ、前突部２１ａ，中突部２１ｂ，後突部２１ｃが前後方向に間隔をおいて上方へ突出形成されており、前突部２１ａの前部は、前方側へ水平に突出した上面庇部２１ｄとなっている。
また、本体２の上面２ｄには、複数の縦リブ２１と交差するように横方向に延びる横リブ２２が前後方向に間隔をおいて一体状に複数立設されており、各横リブ２２は、縦リブ２１の前突部２１ａ，中突部２１ｂ，後突部２１ｃ以外のリブ部分と同じ高さとなっている。
また、本体の上面２ｄの後端側には、左右に一対、雌ネジを形成したネジボス部２４ａ，２４ｂが後方に向かって一体形成されている。
【００１４】
また、本体２の背面２ｅには、後方側へ向かって突出したボス部２５，２６，２７，２８が上下左右に一体形成されており、各ボス部２５，２６，２７，２８の内側には、ビス３３を通すことのできる貫通状のビス孔２５ａ，２６ａ，２７ａ，２８ａがそれぞれ形成されている。
なお、図３における図示右側に、上下に間隔をおいて形成されたボス部２５，２７は円形状であり、図示左側の上下のボス部２６，２８は横長楕円形状であり、ボス部２６，２８内のビス孔２６ａ，２８ａは横長状に貫通されて、横方向の位置調整が可能に形成されている。
【００１５】
なお、本体２には、上面２ｄの下方の仕切り板部２ａと側板２ｃ間に、軸３２を介して上下動可能に紙切板３０ａが配置されており、その下方にはロールペーパーを支持できる一対の支持アーム３１が設けられている。また、仕切り板部２ａと側板部２ｂ間にも同様に、紙切板３０ｂと、その下方に一対の支持アーム３１が設けられている。
【００１６】
次に、棚板部材３を説明する。
棚板部材３は、水平板状の上面板３ａの前端に垂下状に前面片３ｂが形成され、前面片３ｂの下端に後方側へ略水平に折り曲げた引掛け片３ｃが形成されている。また、上面板３ａの後端には垂下状に背面片３ｄが一体形成されている。
【００１７】
次に、補強部材４を説明する。
この補強部材４は、本体２の上面２ｄのほぼ全面を覆うことのできる水平板状の水平部材４ａの後端に、垂下状に、左右一対の縦片４ｂ，４ｃが設けられ、水平部材４ａと左右の縦片４ｂ，４ｃ間には水平部材４ａ側へ凹んだ段部４ｄが一体形成されている。
この補強部材４の水平部材４ａには、前後一対の貫通孔４１ａ，４１ｂが左右方向に間隔をおいて複数貫通形成されている。
また、図３における図示右側の縦片４ｃの上部には、円形のビス孔４２が貫通形成されており、また、図示左側の縦片４ｂの上部には、横長状のビス孔４３が貫通形成されている。
【００１８】
なお、この補強部材４は、水平部材４ａを本体２の上面２ｄ上に載せ、左右の縦片４ｂ，４ｃを、仕切り板部２ａを跨ぐように本体２の背面２ｅに当接させて装着できるものであり、補強部材４を本体２に装着した時には、本体２のボス部２５の外周に補強部材４のビス孔４２が嵌まり込み、また、本体２のボス部２６の外周に補強部材４のビス孔４３が嵌まり込むように構成されており、ビス孔４２，４３内に本体側のボス部２５，２６が嵌まり込むことで、補強部材４の横ずれが防がれるものである。
【００１９】
また、装着状態では、補強部材４の貫通孔４１ａ，４１ｂ内に、本体側の縦リブ２１に突出形成された中突部２１ｂ，後突部２１ｃが嵌まり込むものである。
即ち、図４の断面拡大図で示すように、補強部材４の貫通孔４１ａには本体２の中突部２１ｂが嵌まり込み、補強部材４の貫通孔４１ｂには本体２の後突部２１ｃが嵌まり込むものであり、補強部材４の装着状態では、補強部材の水平部材４ａの前側に本体２の前突部２１ａが立ち上がることとなる。
【００２０】
使用者や所有者等の都合により手摺りと同等の強度を確保したい場合に、本体２から棚板部材３を外して補強部材４を装着することができ、補強部材４を本体２に装着した後に再び棚板部材３を上から被せて取り付けることができる。
【００２１】
棚板部材３は、引掛け片３ｃを図４のように本体２の上面庇部２１ｄの下面に引掛けて、上面庇部２１ｄの前面を前面片３ｂで覆い、上面板３ａを補強部材４上に覆設する。この時に、棚板部材３の上面板３ａの裏側に、前述した本体２側の前突部２１ａ，中突部２１ｂ，後突部２１ｃの上端が当接し、この前突部２１ａ，中突部２１ｂ，後突部２１ｃの当接により、棚板部材３の上面板３ａが凹んだりすることがない。
【００２２】
また、棚板部材３の背面片３ｄは、補強部材４に形成されている段部４ｄに嵌め込まれ、棚板部材３の背面片３ｄと補強部材４の背面が面一となる。この状態で、背面片３ｄに形成されている左右のネジ孔３ｅ，３ｅ内に後方側からネジを入れて、ネジを本体２のネジボス部２４ａ，２４ｂにそれぞれ締め付けることで、棚板部材３は本体２に固定され、この固定状態では、棚板部材３の背面片３ｄと本体２の背面２ｅ間に補強部材の段部４ｄが挟み込まれて、補強部材４はがたつくことなく強固に組み付けられることとなる。
【００２３】
なお、棚板部材３を取り付けた状態では、図１に示すように、棚板部材３の左右端面は本体２の立上側片２３ａ，２３ｂで覆蓋されるため、すっきりとした組み立て状態が得られるものである。
【００２４】
このように、本体２に補強部材４を装着し、さらに棚板部材３を取り付けた状態で、前方側から本体２のビス孔２５ａ，２６ａ，２７ａ，２８ａにそれぞれビス３３を通して、ビス３３を壁Ｗに締め付けることで、壁Ｗに２連紙巻器１を取り付け施工することができるものである。
【００２５】
なお、上方のビス孔２５ａ，２６ａの位置では、ビス３３は補強部材のビス孔４２，４３にも通されて壁Ｗに締め付けられるため、ビス３３の締め付け状態では、壁Ｗに本体２のボス部２５，２６，２７，２８が当接するとともに、補強部材４の左右の縦片４ｂ，４ｃが当接して、補強部材の縦片４ｂ，４ｃは本体２と壁Ｗに挟み込まれ、強固な取り付け構造が確保されるものとなる。そのため、棚板部材３上に手をついて身体を良好に支えることが可能となり、手摺りと同等の強度を有した２連紙巻器１となる。
【００２６】
このように本例の２連紙巻器１は、本体２に補強部材４を装着し、棚板部材３を取り付けて一体化した状態で、壁面Ｗにビス３３で取り付けするものであるため、紙巻器全体を組み立てた状態で壁に固定することができ、壁への施工を容易に行えるものとなる。
なお、身体を支えるほどの強度を必要としない場合には、補強部材４を用いることなく、本体２の上面に棚板部材３を取り付けて、壁面Ｗにビス３３で取り付けするものであり、強度を望む場合にのみ補強部材４を装着して強度を高めることができ、同一の外観デザインの２連紙巻器１において、補強部材４が存在するか否かで強度の異なるものとすることができ、従来のように、別途強度の大なる別デザインの紙巻器を購入する必要がなく、コストを低減させて強度の大なる紙巻器に変更することができるものとなる。
【００２７】
なお本例では、補強部材４の貫通孔４１ａ，４１ｂ内に、本体側の縦リブ２１に突出形成された中突部２１ｂ，後突部２１ｃが嵌まり込むものを例示しているが、貫通孔４１ａ，４１ｂの代わりに、補強部材４に切欠を形成して、この切欠内に、本体側の縦リブ２１に突出形成された中突部２１ｂ，後突部２１ｃが嵌まり込むものとしても良い。
【符号の説明】
【００２８】
１  ２連紙巻器
２  本体
２ａ  仕切り板部
２ｂ，２ｃ  側板部
２ｄ  上面
２ｅ  背面
３  棚板部材
３ａ  上面板
３ｂ  前面片
３ｃ  引掛け片
３ｄ  背面片
３ｅ  ネジ孔
４  補強部材
４ａ  水平部材
４ｂ，４ｃ  縦片
４ｄ  段部
２１  縦リブ
２１ａ  前突部
２１ｂ  中突部
２１ｃ  後突部
２１ｄ  上面庇部
２３ａ，２３ｂ  立上側片
２４ａ，２４ｂ  ネジボス部
２５，２６，２７，２８  ボス部
２５ａ，２６ａ，２７ａ，２８ａ  ビス孔
３０ａ，３０ｂ  紙切板
３３  ビス
４１ａ，４１ｂ  貫通孔
４２，４３  ビス孔
Ｗ  壁
【図１】
0005496048.tif 000002
【図２】
0005496048.tif 000003
【図３】
0005496048.tif 000004
【図４】
0005496048.tif 000005